(57)【要約】      （修正有）【課題】調整体を回転可能に前チャンバに取り付けることにより、調音可能としたイヤホーンを提供する。【解決手段】調音可能なイヤホン１００は、前チャンバ１０、調音体２０、後チャンバ３０及び前チャンバと後チャンバ内に取り付けられたスピーカユニット４０を包含し、前チャンバは出音筒体１１を含む。また、出音筒体の後端が外向きに突伸してクローズカバー１２を形成し、クローズカバーが後方に延伸されてクローズ筒１３が形成され、クローズカバーに開放溝１４２が開設され、該開放溝にクローズカバーを貫通する調音孔１４３が開設され、前チャンバのクローズ筒に洩気孔１５が開設される。調音体は回転可能に前チャンバに取付けられ、柱状を呈するベースブロック２１を包含し、ベースブロックより後方に横断面積がベースブロックより小さい調音柱２２が延伸され、且つ調音柱の一側に、洩気孔に対応する切欠きが内向きに形成される。【選択図】図２
0003175730.tif 000002
【実用新案登録請求の範囲】
【請求項１】
調音可能なイヤホンにおいて、
前チャンバであって、出音筒体を包含し、該出音筒体の後端が径方向に沿って外向きに突伸してクローズカバーを形成し、該クローズカバーの側縁が垂直に後方に延伸されてクローズ筒が形成され、該クローズカバーの前表面の一側に円形を呈する開放溝が開設され、該開放溝の底壁に該クローズカバーを貫通する調音孔が開設され、該前チャンバの該クローズ筒に該調音孔と連通する洩気孔が開設された、上記前チャンバと、
調音体であって、回転可能に該前チャンバに取付けられ、柱状を呈するベースブロックを包含し、該ベースブロックの後表面より後方に、横断面積が該ベースブロックより小さい調音柱が延伸され、且つ該調音柱の一側に、該洩気孔に対応する切欠きが内向きに形成され、該調音柱は該調音孔内に挿入され、該ベースブロックは該開放溝内に収容される、上記調音体と、
該前チャンバと相互に組み合わされて接続されてチャンバを包囲し形成する、後チャンバと、
該チャンバ内に収容される、スピーカユニットと、
を包含したことを特徴とする、調音可能なイヤホン。
【請求項２】
請求項１記載の調音可能なイヤホンにおいて、該調音孔の直径は該開放溝の直径より小さく、該開放溝と該調音孔の接続部分間に係止台が形成され、該ベースブロックが該係止台に係止されることを特徴とする、調音可能なイヤホン。
【請求項３】
請求項１記載の調音可能なイヤホンにおいて、該開放溝の外側溝壁に外向きに延伸されて扇形状を呈する可動溝が開設され、該開放溝と該可動溝は連通し、該ベースブロックの一側に、外向きに突伸する位置制限ブロックが設けられ、該位置制限ブロックは該可動溝内に収容され、且つ該位置制限ブロックは該可動溝の両側溝壁の間で回転可能であることを特徴とする、調音可能なイヤホン。
【請求項４】
請求項３記載の調音可能なイヤホンにおいて、該ベースブロックの前表面に回転溝が開設されたことを特徴とする、調音可能なイヤホン。
【請求項５】
請求項１記載の調音可能なイヤホンにおいて、該後チャンバは中空構造を呈し、該後チャンバの底部に、後ろチャンバの中空構造を貫通する取付け孔が設けられ、該取付け孔にハンドルが取付けられたことを特徴とする、調音可能なイヤホン。
【考案の詳細な説明】
【技術分野】
【０００１】
本考案は一種のイヤホンに係り、特に低周波音調整可能な調音可能なイヤホンに関する。
【背景技術】
【０００２】
調音可能なイヤホンは、その優れた携帯性、高品質な音声表現及び優秀な隔音効果により人々に大変喜ばれている。
【０００３】
しかし、周知の調音可能なイヤホンには調音装置は設置されておらず、音声の大きさと音質効果の調整は、再生設備による調整制御により実現し、イヤホン自身は音声の大きさと音質効果に対して調整を行えず、イヤホンの音質効果も完全に再生設備の品質とイヤホン品質により制限され、且つ一つのイヤホンは単純な一種類の音色と周波数応答特性しか提供できず、すなわち、一種類の聴覚感覚しか提供できず、一般の消費者にとっては、娯楽性が十分でなく、多種類の聴覚感覚を有したければ、別に数種類のイヤホンを購入する必要があり、このために使用コストが増加する。
【０００４】
これにより、一種の低周波音調整可能な調音可能なイヤホンを提供して、消費者が個人の好みや音楽特性に基づいて、好みの低音特性に調整でき、別に各種のイヤホンを購入しなくとも異なる聴覚感覚を楽しめるようにすることが必要である。
【考案の概要】
【考案が解決しようとする課題】
【０００５】
本考案の目的は、上述の周知の技術の不足に対して、一種の低周波音調整可能な調音可能なイヤホンを提供することにある。
【課題を解決するための手段】
【０００６】
上述の目的を実現するため、本考案の調音可能なイヤホンは、前チャンバ、調音体、後チャンバ及び前チャンバと後チャンバ内に取り付けられたスピーカユニットを包含し、前チャンバは出音筒体を包含し、出音筒体の後端が径方向に沿って外向きに突伸してクローズカバーを形成し、クローズカバーの側縁が垂直に後方に延伸されてクローズ筒が形成され、クローズカバーの前表面の一側に円形を呈する開放溝が開設され、開放溝の底壁にクローズカバーを貫通する調音孔が開設され、前チャンバのクローズ筒に調音孔と連通する洩気孔が開設される。上述の調音体は回転可能に前チャンバに取付けられ、柱状を呈するベースブロックを包含し、ベースブロックの後表面より後方に、横断面積がベースブロックより小さい調音柱が延伸され、且つ調音柱の一側に、洩気孔に対応する切欠きが内向きに形成される。前述の後チャンバと前チャンバが相互に組み合わされて接続され、スピーカユニットが前チャンバと後チャンバが組み合わされて形成するチャンバ内に収容される。
【考案の効果】
【０００７】
上述したように、本考案の調音可能なイヤホンは、その調音体が回転可能に前チャンバに取付けられ、調音体の回転により、切欠きと洩気孔の相対位置を調整することで、低音の出気量と流速を制御し、これにより低音の低周波応答曲線を変更し、これにより異なる聴覚感覚を得る。
【図面の簡単な説明】
【０００８】
【図１】本考案の調音可能なイヤホンの立体図である。
【図２】図１の調音可能なイヤホンの立体分解図である。
【図３】図１の調音可能なイヤホンの別角度からの立体分解図である。
【図４】図１の調音可能なイヤホンの調音体の立体図である。
【図５】図１の調音可能なイヤホンの使用時の異なる状態の周波数応答曲線図である。
【考案を実施するための形態】
【０００９】
本考案の技術内容、構造特徴、達成する目的を詳細に説明するため、以下に実施例を挙げ並びに図面を組み合わせて説明する。
【００１０】
図１、図２を参照されたい。本考案の調音可能なイヤホン１００は、前チャンバ１０、後チャンバ３０、スピーカユニット４０、調音体２０及びハンドル５０を包含する。そのうち、前チャンバ１０と後チャンバ３０は相互に組み合わされ接続されてチャンバ（符号なし）を包囲し形成する。スピーカユニット４０は該チャンバ内に収容され、前チャンバ１０、後チャンバ３０とスピーカユニット４０の間にサウンドチャンバ（符号なし）が形成され、調音体２０は回転可能に前チャンバ１０に取付けられる。
【００１１】
図１、図２及び図３を参照されたい。前述の前チャンバ１０は、中空構造を呈する出音筒体１１を包含し、該出音筒体１１の後端に、その径方向に沿って外向きに突伸するようにクローズカバー１２が形成され、該クローズカバー１２の側縁が垂直に後ろ向きに延伸されてクローズ筒１３が形成される。クローズカバー１２の前表面の一側に、円形を呈する開放溝１４１が形成され、開放溝１４１の外側溝壁よりさらに外向きに、扇形状を呈する可動溝１４２が延伸され、開放溝１４１と可動溝１４２は連通し、開放溝１４１の溝底壁にさらにクローズカバー１２を貫通する調音孔１４３が設けられ、調音孔１４３の直径は、開放溝１４１の直径より小さく、これにより、開放溝１４１と調音孔１４３の接続部分間に、係止台（符号なし）が形成され、前チャンバ１０のクローズ筒１３にさらに調音孔１４３と連通する洩気孔１５が開設される。
【００１２】
図１、図２及び図３を参照されたい。上述の調音体２０は柱状を呈するベースブロック２１を包含し、ベースブロック２１の前表面に、回転溝２１１が開設され、且つベースブロック２１の一側に外向きに位置制限ブロック２１２が突伸し、ベースブロック２１の後ろ表面より後方に横断面積がベースブロック２１より小さい調音柱２２が延伸され、且つ調音柱２２の一側に、洩気孔１５に対応するように内向きに切欠き２２１が設けられる。調音体２０の調音柱２２は調音孔１４３内に挿入され、ベースブロック２１が開放溝１４１内に収容され並びに係止台に係止され、位置制限ブロック２１２が可動溝１４２内に収容され、且つ位置制限ブロック２１２は可動溝１４２の両側の溝壁の間で回転可能である。
【００１３】
図１、図２及び図３を参照されたい。前述の後チャンバ３０は中空構造を呈し、後チャンバ３０の底部に後チャンバの中空構造を貫通する取付け孔３１が設けられ、上述のハンドル５０は該取付け孔３１内に取付けられる。
【００１４】
図５を参照されたい。この図は人の耳の聴覚の周波数範囲（２０Ｈｚ〜２０ＫＨｚ）内で、調音可能なイヤホン１００の組み立て完成後に、調音体２０を回転させることで切欠き２２１と洩気孔１５の相対位置を調整することで、サウンドチャンバ内の気体の出気量及び流速を制御する目的を達成でき、それにより異なる低音周波数応答曲線の反映を発生し、これにより異なる聴覚感覚を形成することを示す。具体的には、調音体２０を回転させて切欠き２２１を洩気孔１５と未連通とし、すなわち完全クローズすると、サウンドチャンバ内の圧力は最大となり、低音も最強となり、その低音の周波数応答曲線は図中の曲線ＩＩＩで表される。調音体２０を回転させて切欠き２２１と洩気孔１５を完全連通させると、サウンドチャンバ内の圧力は最小となり、低音も最も弱くなり、その低音の周波数応答曲線は図中の曲線Ｉで示される。切欠き２２１と洩気孔１５が完全には対応していない時は、その低音の周波数応答曲線は図中の曲線ＩＩで示される。
【００１５】
上述したように、本考案の調音可能なイヤホン１００は、その調音体２０が回転可能に前チャンバ１０に取付けられ、調音体２０の回転により、切欠き２２１と洩気孔１５の相対位置を調整することで、低音の出気量及び流速を制御し、これにより、低音の低周波応答曲線を変更し、これにより異なる聴覚感覚を得ることができる。
【符号の説明】
【００１６】
１００  調音可能なイヤホン                １０  前チャンバ
１１  出音筒体                            １２  クローズカバー
１３  クローズ筒                          １４１  開放溝
１４２  可動溝                            １４３  調音孔
１５  洩気孔                              ２０  調音体
２１  ベースブロック                      ２１１  回転溝
２１２  位置制限ブロック                  ２２  調音柱
２２１  切欠き                            ３０  後チャンバ
３１  取付け孔                            ４０  スピーカユニット
５０  ハンドル
【図１】
0003175730.tif 000003
【図２】
0003175730.tif 000004
【図３】
0003175730.tif 000005
【図４】
0003175730.tif 000006
【図５】
0003175730.tif 000007